(57)【要約】【課題】ＭＳメモリーカードの逆挿しを防ぐことを可能にするメモリーカードコネクタを提供する。【解決手段】カード収容部２１は、収容室２５にストッパー機構３０と弾性機構４０とを備える。ストッパー機構３０の一端は収容室２５の第一位置付け部に被せて取り付けられ、他端に係止面３２とストッパー３４と固定部３５とを有する。弾性機構４０は一端をカード収容部２１の固定部２８に被せ、他端をストッパー機構３０の固定部３５に被せて取り付ける。ストッパー機構３０は、斜めに回転可能であり、弾性機構４０の弾力によってその係止面３２が挿入空間２３に突出し、ストッパー３４でカード収容部２１の係止部４５に突き当たるため収容室２５から外れることがない。ＭＳメモリーカード４８を正方向で開口部２２から挿入空間２３に差し込むと、円弧辺４９で係止面３２に接触してストッパー機構３０を斜めに回転させ、弾性機構４０を圧縮して挿入される。【選択図】図３
0003140116.tif 000002
【実用新案登録請求の範囲】
【請求項１】
開口部と前記開口部から延びる挿入空間とを有し、前記挿入空間は両側から形成される二つの側壁を有し、そのうちの一つの前記側壁は収容室と係止部とを有し、前記収容室は第一位置付け部を有するハウジングと、
係止面と結合部とを有し、かつ前記結合部を前記第一位置付け部に被せることにより回転可能な状態で前記収容室に装着されるストッパー機構と、
前記ハウジングの前記収容室に装着され、かつ弾力によって前記ストッパー機構を前記挿入空間の方向へ移動させ、前記係止面を前記収容室から前記挿入空間に突出させ、かつ前記ストッパー機構を前記係止部に突き当てることが可能である弾性機構と、
を含むことを特徴とするメモリーカードコネクタ。
【請求項２】
前記第一位置付け部は円柱状を呈し、前記ストッパー機構の前記結合部は円形の陥凹溝であり、前記結合部は前記第一位置付け部に嵌合されることを特徴とする請求項１に記載のメモリーカードコネクタ。
【請求項３】
前記第一位置付け部は円弧状の陥凹溝であり、前記ストッパー機構の前記結合部の表面は円弧面であり、前記結合部は前記第一位置付け部に嵌合されることを特徴とする請求項１に記載のメモリーカードコネクタ。
【請求項４】
前記ハウジングはカード収容部を有し、前記カード収容部の側壁は第二位置付け部を有し、前記ストッパー機構は階段部を有し、かつ前記ストッパー機構が係止部に突き当たる場合、前記階段部は前記第二位置付け部に突き当たることを特徴とする請求項１に記載のメモリーカードコネクタ。
【請求項５】
前記ストッパー機構は固定部を有し、前記弾性機構は前記固定部と前記ハウジングとの間に装着されることを特徴とする請求項１に記載のメモリーカードコネクタ。
【請求項６】
前記ハウジングの前記収容室は固定部を有し、前記弾性機構は前記固定部と前記ストッパー機構との間に装着されることを特徴とする請求項１に記載のメモリーカードコネクタ。
【請求項７】
前記ストッパー機構はストッパーを有し、かつ前記係止面が前記挿入空間に突出する場合、前記ストッパーは前記係止部に突き当たることを特徴とする請求項１に記載のメモリーカードコネクタ。
【考案の詳細な説明】
【技術分野】
【０００１】
本考案は、電子装置に関し、特に、誤挿入防止機能の付いたメモリーカードコネクタに関する。
【背景技術】
【０００２】
ノートパソコン、デジタルカメラまたはＰＤＡ（Ｐｅｒｓｏｎａｌ  Ｄｉｇｉｔａｌ  Ａｓｓｉｓｔａｎｔ）などの電子装置にデジタルデータを大量保存させるためには、電子装置にメモリーカードを差し込む機能を搭載することにより電子装置中のデータをメモリーカードに保存する方法が用いられる。
【０００３】
一般に、使用されるメモリーカードの規格の種類は、メモリースティック（登録商標  以下、ＭＳとする）およびＳＤ（Ｓｅｃｕｒｅ  Ｄｉｇｉｔａｌ）、ＭＭＣ（Ｍｕｌｔｉ−Ｍｅｄｉａ  Ｃａｒｄ）、ＸＤ（ｅＸｔｒｅｍｅ  Ｄｉｇｉｔａｌ）などである。それらの規格のメモリーカードを同一の電子装置に適用し、メモリーカードコネクタの使用量とその占める空間を減らすために、現在使われている電子装置は規格が異なるメモリーカードを差し込むことが可能なマルチカードコネクタを有する。
【０００４】
一般に、マルチカードコネクタ（以下、コネクタとする）はハウジングと複数組の端子とを有し、端子はハウジング内部へ延び、ハウジングは開口部を有する。メモリーカードはこの開口部からハウジングへ差し込まれ、かつ互いに対応する端子に接触するため、電子装置はコネクタを介してメモリーカード内のデータを読み取ることが可能である。
【０００５】
上述のメモリーカードのうちＭＳメモリーカードは、長矩形を呈し、かつ片側の短辺のみに接続用導電片を有する。ＭＳメモリーカードの接続用導電片を有する側の短辺をコネクタに正確に差し込めば使用できるが、接続用導電片がない側の短辺をコネクタに差し込むと、ＭＳメモリーカードとそれに対応する端子とを接触させることができないばかりか、端子を変形または湾曲させ、コネクタを使用できなくなるような事態を招く。
【考案の開示】
【考案が解決しようとする課題】
【０００６】
本考案の目的は、ＭＳメモリーカードの逆挿しを防ぐことを可能にするメモリーカードコネクタを提供することである。
【課題を解決するための手段】
【０００７】
上述の目的を達成するために、本考案による誤挿入を防止可能な機能の付いたメモリーカードコネクタは、ハウジング、ストッパー機構と弾性機構を含む。ハウジングは開口部と開口部から延びる挿入空間とを有し、挿入空間は両側から形成される二つの側壁を有し、そのうちの一つの側壁は収容室と係止部とを有し、収容室は第一位置付け部を有する。ストッパー機構は結合部と係止面を有し、結合部は第一位置付け部に配置され、ストッパー機構は斜めに回転可能なように収容室に装着される。
【０００８】
弾性機構はハウジングの収容室に装着される。この弾性機構は、弾力によってストッパー機構を挿入空間の方向へ移動させ、係止面を収容室から挿入空間に突出させる。また、ストッパー機構は係止部に突き当てることが可能である。
以上のように、本考案は、ハウジングのカード収容部に斜めに回転可能なストッパー機構を設置したことを特徴とする。
【０００９】
（考案の効果）
本考案によると、ＭＳメモリーカードを正確な方向でカード収容部に差し込む場合、ＭＳメモリーカードはストッパー機構を斜めに回転させるように押すことができる。また、ＭＳメモリーカードの逆側の短辺をカード収容部に差し込む場合、ＭＳメモリーカードはストッパー機構から遮断され、カード収容部に入り込むことができないため、ＭＳメモリーカードの逆挿しを防止する目的を達成できる。
【考案を実施するための最良の形態】
【００１０】
以下、本考案の実施例を図面に基づいて説明する。
（第一実施例）
図１から図３に示すように、本考案の第一実施例によるメモリーカードコネクタ１０はハウジング２０、ストッパー機構３０と弾性機構４０を含む。
【００１１】
ハウジング２０は、カード収容部２１とカバー１２とから構成され、ハウジング２０は前端に位置する開口部２２と、開口部２２からハウジング２０内部へ延びる挿入空間２３とを有する。開口部２２と挿入空間２３の組み合せにより、ＭＳ（Ｍｅｍｏｒｙ  Ｓｔｉｃｋ）規格のメモリーカード４８をハウジング２０に差し込むことが可能である。
【００１２】
ハウジング２０の挿入空間２３は、両側から形成される二つの側壁２４を有し、そのうちの一つの側壁２４は開口部２２に近い収容室２５を有し、収容室２５は挿入空間２３へと連続する。カード収容部２１の収容室２５は上向きに延びる円柱状の第一位置付け部４２と傾斜状の内壁２６とを有し、内壁２６は位置付け溝２７を有し、位置付け溝２７は横向きに延びる円柱状の固定部２８を有する。側壁２４は、収容室２５の両側において第二位置付け部２９と係止部４５を有する。
【００１３】
ストッパー機構３０は、一端には第一位置付け部４２に結合する結合部３１と階段部３６とを有し、他端には係止面３２を有する。本実施例では、結合部３１は円形の陥凹溝である。また、ストッパー機構３０は係止面３２と結合部３１の間に斜面３３を有する。係止面３２は、階段部３６とは反対側の端にストッパー３４と円柱状の固定部３５とを有する。さらに、ストッパー機構３０はカード収容部２１の収容室２５内に装着され、かつ結合部３１をカード収容部２１の第一位置付け部４２に被せる。これにより、ストッパー機構３０は収容室２５内において斜めに回転可能である。
【００１４】
弾性機構４０は、圧縮スプリングである。弾性機構４０はカード収容部２１の収容室２５内に装着され、その一端はカード収容部２１の固定部２８に被せられ、他端はストッパー機構３０の固定部３５に被せる。さらに弾性機構４０は、弾力によってストッパー機構３０の係止面３２を挿入空間２３に突出するように移動させる。ストッパー機構３０が弾性機構４０の弾力を受けて押された後は、ストッパー３４がカード収容部２１の係止部４５に突き当たる。従って、ストッパー機構３０は収容室２５から外れることがない。
【００１５】
上述した構成により、ＭＳメモリーカード４８をハウジング２０の開口部２２から挿入空間２３に差し込む際、図１および図３に示すように、ＭＳメモリーカード４８の挿入方向を正確にしてその円弧辺４９を開口部２２内に差し込めば、円弧辺４９はストッパー機構３０の係止面３２の外縁部に接触する。
【００１６】
続いて、ＭＳメモリーカード４８が挿入空間２３に沿ってハウジング２０に差し込まれるのに伴い、円弧辺４９はストッパー機構３０を斜めに回転させるように押し続けながら弾性機構４０を圧縮する。それとともに、係止面３２は収容室２５内に入り込んでいく。この時、ＭＳメモリーカード４８をスムーズにハウジング２０に差し込むことができる。
【００１７】
また、ＭＳメモリーカード４８をハウジング２０から取り出す場合、弾性機構４０は、その復元力によってストッパー機構３０の階段部３６を第二位置付け部２９へ移動させる。さらに弾性機構４０は、ストッパー３４が係止部４５に突き当たるまでストッパー機構３０を斜めに回転させ、係止面３２を側壁２４から挿入空間２３に突出させるように押し続ける。
【００１８】
図４と図５に示すように、ＭＳメモリーカード４８が逆挿し方向でハウジング２０に差し込まれた場合、即ち、先にハウジング２０の開口部２２に差し込まれるのが円弧辺４９ではなく直角状の一角である場合、ＭＳメモリーカード４８の直角状の一角はストッパー機構３０の係止面３２に突き当たる。この状態においては、ＭＳメモリーカード４８はストッパー機構３０を収容室２５の奥へ斜めに回転させるように押すことができないため、ハウジング２０の奥にＭＳメモリーカード４８を差し込むことができない。
【００１９】
また図６と図７に示すように、ＭＳメモリーカード４８が正しい方向でハウジング２０に差し込まれなければ直角状の一角が係止面３２に突き当たってしまうため、ＭＳメモリーカード４８をコネクタ１０に差し込むことができない。
【００２０】
上述したように、本実施例ではハウジング２０のカード収容部２１に斜めに回転可能なストッパー機構３０を設置するため、ＭＳメモリーカード４８は、正しい方向でカード収容部２１に差し込む場合のみ、ストッパー機構３０を斜めに回転させるように押すことができる。ＭＳメモリーカード４８の逆側をカード収容部２１に差し込む場合、メモリーカード４８はストッパー機構３０から遮断され、カード収容部２１に入り込めないため、ＭＳメモリーカード４８の逆挿しを防止できる。
【００２１】
（第二実施例）
また、図８に示すのは本考案の第二実施例によるコネクタ５０である。第二実施例の基本的な構成と効果は、実質的に第一実施例と同等であり、第一実施例との違いは次の通りである。カード収容部５１の収容室５２内には固定部が配置されず、弾性機構５３は、一端をストッパー機構５４の固定部５５に被せ、他端を位置付け溝５６内に置くように設けられる。弾性機構５３はストッパー機構５４を斜めに回転させる弾力を有するため、係止面５７を側壁５８に突出させ、ストッパー５９を係止部６０に突き当てることができる。
【００２２】
（第三実施例）
本考案におけるストッパー機構とカード収容部との間は様々な方法で結合することが可能である。図９に示すのは本考案の第三実施例によるコネクタ６１である。第三実施例の基本的な構成と効果は、実質的に第一実施例とほぼ同等である。第三実施例によると、ストッパー６３の結合部６６をカード収容部６２の第一位置付け部６５に被せることにより、ストッパー機構６３を斜めに回転させる。また、カード収容部６２は、ストッパー機構６３と向き合う一端にのみ、係止部６７を有する。
【００２３】
第三実施例における第一実施例との違いは、カード収容部６２に第二位置付け部がなく、ストッパー機構６３に階段部がないことである。以上の構成により、係止部６７はストッパー機構６３のストッパー６４に突き当たり、ストッパー機構６３が収容室６８から外れないようにすることが可能である。
【００２４】
（第四実施例）
図１０に示すのは本考案の第四実施例によるコネクタ７０である。第四実施例の基本的な構成と効果は、実質的に第一実施例と同等である。第一実施例との違いは次の通りである。カード収容部７１は第二位置付け部７３と円弧状の第一位置付け部７５とを有し、ストッパー機構７２の結合部７４の形状は第一位置付け部７５の円弧面に対応する。従って、弾性機構７７の弾力がストッパー機構７２に作用する際、ストッパー機構７２は結合部７４が第一位置付け部７５に嵌合されることにより斜めに回転し、ストッパー７８を係止部７６に突き当たらせることができる。
【図面の簡単な説明】
【００２５】
【図１】本考案の第一実施例のカバーが開いた状態を示す斜視図である。
【図２】本考案の第一実施例の一部分を分解した状態で、ストッパー機構とカード収容部との細部構造を示す斜視図である。
【図３】本考案の第一実施例のカバーを省略して、ＭＳメモリーカードを正しい向きでカード収容部に差し込んだ状態を示す要部平面図である。
【図４】本考案の第一実施例のカバーを省略して、ＭＳメモリーカードを裏返しかつ逆挿しで差し込んだ状態を示す斜視図である。
【図５】本考案の第一実施例のカバーを省略して、ＭＳメモリーカードを裏返しかつ逆挿しで差し込んだ状態を示す要部平面図である。
【００２６】
【図６】本考案の第一実施例のカバーを省略して、ＭＳメモリーカードを裏返しで差し込んだ状態を示す要部平面図である。
【図７】本考案の第一実施例のカバーを省略して、ＭＳメモリーカードを逆挿しで差し込んだ状態を示す要部平面図である。
【図８】本考案の第二実施例の一部分を分解した状態を示す斜視図である。
【図９】本考案の第三実施例の一部分を分解した状態を示す斜視図である。
【図１０】本考案の第四実施例の組立後の一部分を示す斜視図である。
【符号の説明】
【００２７】
１０：メモリーカードコネクタ、１２：カバー、２０：ハウジング、２１：カード収容部、２２：開口部、２３：挿入空間、２４：側壁、２５：収容室、２６：内壁、２７：位置付け溝、２８：固定部、２９：第二位置付け部、３０：ストッパー機構、３１：結合部、３２：係止面、３３：斜面、３４：ストッパー、３５：固定部、３６：階段部、４０：弾性機構、４２：第一位置付け部、４５：係止部、４８：ＭＳメモリーカード、４９：円弧辺、５０：メモリーカードコネクタ、５１：カード収容部、５２：収容室、５３：弾性機構、５４：ストッパー機構、５５：固定部、５６：位置付け溝、５７：係止面、５８：側壁、５９：ストッパー、６０：係止部、６１：メモリーカードコネクタ、６２：カード収容部、６３：ストッパー機構、６４：ストッパー、６５：第一位置付け部、６６：結合部、６７：係止部、６８：収容室、７０：メモリーカードコネクタ、７１：カード収容部、７２：ストッパー機構、７３：第二位置付け部、７４：結合部、７５：第一位置付け部、７６：係止部、７７：弾性機構、７８：ストッパー
【図１】
0003140116.tif 000003
【図２】
0003140116.tif 000004
【図３】
0003140116.tif 000005
【図４】
0003140116.tif 000006
【図５】
0003140116.tif 000007
【図６】
0003140116.tif 000008
【図７】
0003140116.tif 000009
【図８】
0003140116.tif 000010
【図９】
0003140116.tif 000011
【図１０】
0003140116.tif 000012